(57)【要約】      （修正有）【課題】良好な封止性能を確保できる電気デバイス収容用ハウジングおよび回路制御装置を提供する。【解決手段】ハウジングはハウジング壁１０、前カバー２０および後カバーを含み、前カバーおよび後カバーはそれぞれハウジング壁の両端部に配置され収容用キャビティを規定する。前カバーおよび後カバーの一方または両方はハウジング壁に取り外し可能に連結される。前カバーとハウジング壁との間、または後カバーとハウジング壁との間に封止ストリップ４０が配置されカバーとハウジング壁との間の間隙が封止される。封止ストリップは頭端部および尾端部を有し、頭端部および尾端部は封止ストリップが閉リングを形成するように相互に結合する。頭端部および尾端部は選択された長さで重複し、重複部において頭端部および尾端部はハウジング壁の高さ方向に沿って上下に配置される。【選択図】図１
0003208535.tif 000002
【実用新案登録請求の範囲】
【請求項１】
電気デバイスの収容用ハウジングであって、
該ハウジングはハウジング壁、前カバーおよび後カバーを有し、
前記前カバーおよび前記後カバーはそれぞれ前記ハウジング壁の両端部に配置されて、収容用キャビティを規定し、
前記前カバーおよび前記後カバーの少なくとも一方は前記ハウジング壁に取り外し可能に連結されており、
前記前カバーと前記ハウジング壁との間に封止ストリップが配置されて、前記前カバーと前記ハウジング壁との間の間隙が封止されているか、または前記後カバーと前記ハウジング壁との間に封止ストリップが配置されて、前記後カバーと前記ハウジング壁との間の間隙が封止されており、
前記封止ストリップは頭端部および尾端部を有し、該封止ストリップの頭端部および尾端部は、該封止ストリップが連結されて閉リングを形成するように、相互に結合しており、
前記封止ストリップの前記頭端部および前記尾端部は選択された長さで相互に重複しており、
前記封止ストリップの前記頭端部および前記尾端部の重複部において、前記頭端部および前記尾端部は、前記ハウジング壁の高さ方向で上下に配置されている、電気デバイスの収容用ハウジング。
【請求項２】
前記封止ストリップの前記頭端部および前記尾端部の前記重複部において、前記封止ストリップの前記尾端部は、前記ハウジング壁の高さ方向に沿って前記封止ストリップの前記頭端部の上に位置付けられている、請求項１に記載の電気デバイスの収容用ハウジング。
【請求項３】
前記封止ストリップは前記ハウジング壁の上に配置されている、請求項１または２に記載の電気デバイスの収容用ハウジング。
【請求項４】
前記ハウジング壁に窪み部が設けられており、
前記窪み部は前記ハウジング壁の高さ方向に沿って選択された深さで広がっており、前記封止ストリップの前記頭端部および前記尾端部の前記結合部のうちの全部または一部は前記窪み部に位置付けられている、請求項３に記載の電気デバイスの収容用ハウジング。
【請求項５】
前記ハウジング壁の一端部に、溝壁および溝底により規定される溝部が設けられており、
前記溝部は前記ハウジング壁の高さ方向に沿って選択された深さで広がっており、前記封止ストリップは前記溝部に位置付けられ、かつ前記溝部の前記溝壁から突出している、請求項４に記載の電気デバイスの収容用ハウジング。
【請求項６】
前記窪み部は前記溝部に位置付けられ、かつ前記ハウジング壁の高さ方向に沿って前記溝底から選択された深さで広がっている、請求項５に記載の電気デバイスの収容用ハウジング。
【請求項７】
前記頭端部および前記尾端部は、前記封止ストリップ自体の粘性によって相互に結合している、請求項１に記載の電気デバイスの収容用ハウジング。
【請求項８】
前記後カバーと前記ハウジング壁とが一体的に配置されており、
前記前カバーおよび前記ハウジング壁は相互に取り外し可能に連結されている、請求項１に記載の電気デバイスの収容用ハウジング。
【請求項９】
請求項１〜８のいずれかに記載のハウジングおよび前記収容用キャビティに配置される回路制御デバイスを含む、回路制御装置。
【請求項１０】
収容用キャビティを規定するハウジング壁を含む、電気デバイスの収容用ハウジングであって、
前記ハウジング壁は窪み溝部が形成されている端面を有し、
前記窪み溝部は溝底を有し、該溝底には、前記窪み溝部の前記溝底から選択された深さまで広がっている窪み部が設けられている、電気デバイスの収容用ハウジング。
【請求項１１】
前記窪み部の両端部は前記溝部の前記溝底につながっており、かつ前記両端部が前記溝部につながっている位置から連続的に広がっている、請求項１０に記載のハウジング。
【請求項１２】
前記窪み部は前記溝部の深さ広がり方向に沿って台形状断面を有する、請求項１０に記載のハウジング。
【請求項１３】
前記溝部に配置される封止ストリップをさらに含む、請求項１０に記載のハウジングであって、
前記封止ストリップは頭端部および尾端部を有し、該頭端部および尾端部は、相互に重複し、かつ相互に連結されており、
前記封止ストリップの前記頭端部および前記尾端部の一方は、前記窪み部に配置されている、ハウジング。
【請求項１４】
前記封止ストリップは前記溝部で結合している、請求項１３に記載のハウジング。
【請求項１５】
前記封止ストリップは、前記ハウジング壁の前記端面から実質的に一定の高さで突出している、請求項１３に記載のハウジング。
【請求項１６】
前記溝部は一定の幅を有する、請求項１０〜１５のいずれかに記載のハウジング。
【請求項１７】
前記窪み部および前記溝部は幅が同じである、請求項１６に記載のハウジング。
【請求項１８】
前記ハウジングは、前記ハウジング壁の前記端面に取り外し可能に連結されている前カバー、および後カバーをさらに含み、
前記後カバーと前記ハウジング壁とが一体的に配置されている、請求項１０に記載のハウジング。
【請求項１９】
請求項１０〜１８のいずれかに記載のハウジング、および前記収容用キャビティに配置される回路制御デバイスを含む、回路制御装置。
【考案の詳細な説明】
【技術分野】
【０００１】
本発明は、電気デバイスを収容するためのハウジングおよび回路制御装置に関する。
【背景技術】
【０００２】
回路制御素子は一般的にはハウジングに取り付けられ、配置される。ハウジングは回路制御素子の保護のために使用されている。特に粗悪な環境で使用される回路制御素子、例えば、車両に適用される各種の回路制御素子はハウジングによる保護が必要である。従来の技術において一般的には、リレーなどの幾つかの重要な電気部品は、封止されたハウジングに取り付けられ、使用時の安全性が確保される。良好な封止性能は、外気または水などがハウジングに侵入して使用時における電気制御素子の安全性に影響を与えるのを回避することができるので、ハウジングの良好な封止性能の確保が必要である。しかしながら、従来の技術においてハウジングの封止性能は不十分なため、使用時の要求を満足させることができない。各種ハウジングの寸法への適合のためには、封止ストリップの連結は、封止ストリップをまず封止リングにした後でハウジングに配置する代わりに、封止ストリップをハウジングの上に配置して達成されるのが一般的である。このような封止ストリップはハウジングの寸法にうまく適合させることができるが、封止ストリップの両端部が結合するつなぎ部は破砕する傾向がある。特に、封止ストリップが振動環境で使用され、かつハウジングにより圧力を掛けられる場合、破砕の問題が特に発生する傾向があり、これにより、ハウジングの封止性能が悪化し、ハウジングでの電気制御素子の安全性が危険にさらされる。
【考案の概要】
【考案が解決しようとする課題】
【０００３】
本発明は、良好な封止性能を確保することができる、電気デバイスを収容するためのハウジングを提供し、従来の技術における欠点を克服することを目的とする。
【課題を解決するための手段】
【０００４】
本発明は以下の技術的解決手段を用いることにより実施され、上記目的を達成する：
【０００５】
電気デバイスを収容するためのハウジングは、ハウジング壁、前カバーおよび後カバーを含む；前記前カバーおよび前記後カバーはそれぞれ前記ハウジング壁の両端部（２つの端部）に配置されて、収容用キャビティを規定する；前記前カバーおよび前記後カバーの一方または両方は前記ハウジング壁に取り外し可能に連結されている；前記前カバーと前記ハウジング壁との間に封止ストリップが配置されて、前記前カバーと前記ハウジング壁との間の間隙が封止されているか、または前記後カバーと前記ハウジング壁との間に封止ストリップが配置されて、前記後カバーと前記ハウジング壁との間の間隙が封止されている；前記封止ストリップは頭端部および尾端部を有する；前記封止ストリップの前記頭端部および前記尾端部は、該封止ストリップが連結されて閉リングを形成するように、相互に結合している；前記封止ストリップの前記頭端部および前記尾端部は選択された長さで重複して（重なって）いる；前記封止ストリップの前記頭端部および前記尾端部の重複部において、前記頭端部および前記尾端部は、前記ハウジング壁の高さ方向に沿って上下に配置されている。
【０００６】
本発明の好ましい実施態様によれば、前記封止ストリップの前記頭端部および前記尾端部の前記重複部において、前記封止ストリップの前記尾端部は、前記ハウジング壁の高さ方向に沿って前記封止ストリップの前記頭端部の上に位置付けられている。
【０００７】
本発明の好ましい実施態様によれば、前記封止ストリップは前記ハウジング壁の上に配置されている。
【０００８】
本発明の好ましい実施態様によれば、前記ハウジング壁に窪み部が設けられている；前記窪み部は前記ハウジング壁の高さ方向に沿って選択された深さで広がっており、前記封止ストリップの前記頭端部および前記尾端部の前記結合部のうちの全部または一部は前記窪み部に位置付けられている。
【０００９】
本発明の好ましい実施態様によれば、前記ハウジング壁の一端部に、溝壁および溝底により規定される溝部が設けられている；前記溝部は前記ハウジング壁の高さ方向に沿って選択された深さで広がっている；前記封止ストリップは前記溝部に位置付けられ、かつ前記溝部の前記溝壁から突出している。
【００１０】
本発明の好ましい実施態様によれば、前記窪み部は前記溝部に位置付けられ、かつ前記ハウジング壁の高さ方向に沿って前記溝底から選択された深さで広がっている。
【００１１】
本発明の好ましい実施態様によれば、前記頭端部および前記尾端部は、前記封止ストリップ自体の粘性によって結合している。
【００１２】
本発明の好ましい実施態様によれば、前記後カバーと前記ハウジング壁とが一体的に配置されており、前記前カバーは前記ハウジング壁に取り外し可能に連結されている。
【００１３】
本発明はまた以下の技術的解決手段を用いることにより実施されてもよく、上記目的を達成する。
【００１４】
電気デバイスを収容するためのハウジングは、収容用キャビティを規定するハウジング壁を含む；前記ハウジング壁の端面には窪み溝部が設けられている；前記溝部の底部には、前記溝部の前記溝底から選択された深さで広がっている窪み部が設けられている。
【００１５】
本発明の好ましい実施態様によれば、前記窪み部の両端部は前記溝部の前記溝底につながっており、かつ前記両端部が前記溝部につながっている位置から連続的に広がっている。
【００１６】
本発明の好ましい実施態様によれば、前記窪み部は前記溝部の深さ広がり方向に沿って台形状断面を有する。
【００１７】
本発明の好ましい実施態様によれば、前記ハウジングは、前記溝部に配置される封止ストリップをさらに含む；前記封止ストリップは頭端部および尾端部を有し、該頭端部および尾端部は、相互に重複し、かつ相互に連結されている；前記封止ストリップの前記頭端部および前記尾端部の一方は、前記窪み部に配置されている。
【００１８】
本発明の好ましい実施態様によれば、前記封止ストリップは前記溝部で結合している。
【００１９】
本発明の好ましい実施態様によれば、前記封止ストリップは、前記ハウジング壁の前記端面から実質的に一定の高さで突出している。
【００２０】
本発明の好ましい実施態様によれば、前記溝部は一定の幅を有する。
【００２１】
本発明の好ましい実施態様によれば、前記窪み部および前記溝部は幅が同じである。
【００２２】
本発明の好ましい実施態様によれば、前記ハウジングは前カバーおよび後カバーをさらに含む；前記前カバーは前記ハウジング壁の前記端面に取り外し可能に連結されている；前記後カバーと前記ハウジング壁とが一体的に配置されている。
【００２３】
本発明は、封止性能が保証された回路制御装置を提供し、従来の技術における欠点を克服することを別の目的とする。
【００２４】
本発明は以下の技術的解決手段を用いることにより実施され、上記目的を達成する：
【００２５】
回路制御装置は、上記のハウジングおよび前記収容用キャビティに配置される回路制御デバイスを含む。
【考案の効果】
【００２６】
本発明における電気デバイス収容用ハウジングおよび回路制御装置によれば、封止ストリップの頭端部および尾端部は、ハウジング壁の高さ方向に沿って上下に配置されており、当該方向は、前カバーまたは後カバーにより封止ストリップの結合部に印加される圧力方向と一致している。前カバーまたは後カバーにより圧力が封止ストリップに印加されると、頭端部および尾端部の重複部はより密接に結合するため、ハウジング壁の高さ方向に対する垂直方向に分離または分割されず、これによって、良好な封止性能が確保される。窪み部は、頭端部および尾端部の重複部が当該窪み部に位置付けられるように配置され、これによって、頭端部と尾端部との重複部の溝部からの過度に高い突出により、封止ストリップと前カバーまたは後カバーとの間の他の位置で間隙が発生して封止性能が低下するのを防止する。
【図面の簡単な説明】
【００２７】
【図１】図１は、本発明に係る電気デバイス収容用ハウジングの見取り図である；
【００２８】
【図２】図２は、本発明に係るハウジングおよび封止ストリップの模式的構成図である；
【００２９】
【図３】図３は、本発明に係るハウジングの模式的構成図である；
【００３０】
【図４】図４は図３の上面図である；
【００３１】
【図５】図５は図４におけるＡ−Ａ線の断面図である；
【００３２】
【図６】図６は図３の側面図である；
【００３３】
【図７】図７は、本発明に係るハウジングの底部の模式的構成図である；
【００３４】
【図８】図８は、本発明に係る封止ストリップの模式的構成図である；
【００３５】
【図９】図９は図８の側面図である。
【考案を実施するための形態】
【００３６】
電気デバイスを収容するためのハウジングは、図１、図２、図３、図４および図７に示されるように、ハウジング壁１０、前カバー２０、および後カバー３０を含む。前カバー２０および後カバー３０はそれぞれハウジング壁１０の両端部に配置されて、収容用キャビティ１５を規定する。収容用キャビティ１５の内部は、様々な所要の素子（図示せず）、例えば、電気デバイス、コネクタ、ケーブルハーネス、および回路板などを収容するために使用される。前カバー２０および後カバー３０の一方または両方はハウジング壁１０に取り外し可能に連結されている。前カバー２０がハウジング壁１０に取り外し可能に連結される場合、前カバー２０とハウジング壁１０との間に封止ストリップが配置されて、前カバー２０とハウジング壁１０との間の間隙が封止される。後カバー３０がハウジング壁１０に取り外し可能に連結される場合、後カバー３０とハウジング壁１０との間に封止ストリップが配置されて、後カバー３０とハウジング壁１０との間の間隙が封止される。上記複数の図に示されている好ましい実施例においては、後カバー３０とハウジング壁１０とは一体的に配置されている。前カバー２０はハウジング壁１０に取り外し可能に連結されており、封止ストリップ４０は、前カバー２０とハウジング壁１０との間に配置されて、前カバー２０とハウジング壁１０との間の間隙を封止している。封止ストリップ４０は前カバー２０とハウジング壁１０との間に挟まれており、すなわち前カバー２０がハウジング壁１０に連結される場合には、封止ストリップ４０は前カバー２０またはハウジング壁１０に配置されて前カバー２０とハウジング壁１０との間に挟まれる。上記複数の図に示されている好ましい実施例においては、封止ストリップ４０はハウジング壁１０上に配置されて前カバー２０とハウジング壁１０との間に挟まれている。
【００３７】
図３、図４、図５および図６に示されている好ましい実施例においては、ハウジング壁１０の上端面には、溝部１１が設けられている。溝部１１は溝壁１２および溝底１３により規定されている。溝部１１はハウジング壁１０の高さｈの方向に沿って選択された深さで広がっている。溝部１１は封止ストリップ４０の配置のために使用され、当該溝部１１の深さは実際の使用時の要求に応じて決定されてよい。封止ストリップ４０は溝部１１に位置付けられ、溝部１１の溝壁１２から突出している。前カバー２０をハウジング壁１０に取り付けるとき、前カバー２０およびハウジング壁１０は封止ストリップ４０に圧力を掛けて封止ストリップ４０を変形させ、封止効果を高める。本発明によれば、封止ストリップ４０は弾性体であり、圧力が掛かると、封止ストリップ４０は弾性変形力を生じ、前カバー２０とハウジング壁１０とが隙間なく隣接し、これにより、より良好な封止効果が達成される。本発明の好ましい実施態様によれば、封止ストリップ４０は周囲方向に沿って溝壁１２から実質的に一定の高さで突出しているので、前カバー２０が当該周囲方向に沿って封止ストリップ４０と密接な接触状態にあって、かついかなる局所的な位置にも間隙が生じないことが保証される。
【００３８】
図８および図９に示されるように、封止ストリップ４０は頭端部４１および尾端部４２を有する；封止ストリップの頭端部４１および尾端部４２は選択された長さで重複しており、頭端部４１および尾端部４２の重複部は、封止ストリップ４０が連結されて閉リングを形成するように、結合している。封止ストリップの頭端部４１および尾端部４２は、ハウジング壁１０の高さｈの方向で上下に配置されている。本発明の好ましい実施態様によれば、封止ストリップの尾端部４２がハウジング壁１０の高さ方向で封止ストリップの頭端部４１の上位にある。本発明の好ましい実施態様によれば、封止ストリップ４０自体が特定の粘性を有し、分配法（dispensing method）により溝部１１に配置される。それ自体の粘性により、封止ストリップ４０は溝部１１で粘着しており、かつその頭端部４１および尾端部４２は結合されている。
【００３９】
図３〜図６に示されるように、溝部１１には、窪み部１４が配置されている。窪み部１４は溝部１１の溝底１３からハウジング壁１０の高さ方向に沿って選択された深さで広がっている。窪み部１４は、頭端部４１および尾端部４２の重複部分の収容のために使用される。封止ストリップにおける頭端部４１および尾端部４２の結合された重複部分の外周寸法は、残りの位置の外周寸法よりも大きく、また封止ストリップは、結合重複位置での厚みがその他の位置での厚みよりも厚い。仮に溝部１１の深さが完全に一定であれば、頭端部４１および尾端部４２の結合された重複部分における溝部１１からの突出はその他の位置での溝部１１からの突出よりも大きい。仮に封止ストリップ４０が様々な大きさで溝部１１から突出すると、前カバー２０をハウジング壁１０に取り付けた後、間隙が形成される傾向にあり、不十分な封止がもたらされる。本発明によれば、窪み部１４は、封止ストリップ４０の頭端部４１および尾端部４２の重複部分が当該窪み部１４に収容され得るように、配置され、かつ溝底１３から特定の深さで広がっており、これによって、封止ストリップ４０のこの位置での溝部１１からの突出が、その他の位置での突出よりも大きくなることが回避される。このため、本発明においては、封止ストリップ４０は周囲方向に沿って溝部１１から実質的に一定の高さで突出している。封止ストリップ４０は溝部１１から実質的に一定の高さで突出して前カバー２０と均一に接触し、これにより間隙が防止される。本発明の好ましい実施態様によれば、溝部１１の幅Ｗは周囲方向に沿って一定であり、窪み部１４の幅は溝部１１の幅Ｗと同じである。頭端部４１および尾端部４２は窪み部１４に位置付けられている。図５に示されるように、本発明の技術的解決手段によれば、窪み部１４はハウジング壁１０の高さｈ方向に沿って台形状断面を有する。窪み部１４の左右の端部は溝底１３から連続的に広がっており、窪み部１４はその左右の端部から底部にかけて対称に広がっている。
【００４０】
本発明における電気デバイス収容用ハウジングおよび回路制御装置によれば、封止ストリップの頭端部および尾端部は、ハウジング壁の高さ方向に沿って上下に配置されており、当該方向は、前カバーまたは後カバーにより封止ストリップの結合部に印加される圧力方向と一致している。前カバーまたは後カバーにより圧力が封止ストリップに印加されると、頭端部および尾端部の重複部はより密接に結合するため、ハウジング壁の高さ方向に対する垂直方向に分離または分割されず、これによって、良好な封止性能が確保される。窪み部は、頭端部および尾端部の重複部が当該窪み部に位置付けられるように配置され、これによって、頭端部と尾端部との重複部の溝部からの過度に高い突出により、封止ストリップと前カバーまたは後カバーとの間の他の位置で間隙が発生して封止性能が低下するのを防止する。
【００４１】
本発明のハウジングは、エンジンのギアボックスへの回路制御デバイスの取り付けに特に適用することができる。回路制御デバイスはハウジングの収容用キャビティに取り付けられてもよい。
【００４２】
本発明において使用される「上」、「上端」、「下」および「下端」は、図６を参照して使われる相対的概念である。
【００４３】
本発明の実施態様は本発明を説明するために使用されているにすぎず、特許請求の範囲の限定を意図するものではない。当該分野の当業者により理解される他の実質的に同等の代替案は全て本発明の保護範囲内に入るものである。
【図１】
0003208535.tif 000003
【図２】
0003208535.tif 000004
【図３】
0003208535.tif 000005
【図４】
0003208535.tif 000006
【図５】
0003208535.tif 000007
【図６】
0003208535.tif 000008
【図７】
0003208535.tif 000009
【図８】
0003208535.tif 000010
【図９】
0003208535.tif 000011